(57)【特許請求の範囲】
【請求項１】
パチンコ球を貯留する皿部を有する球受皿本体と、該球受皿本体に設けられた操作部材を押すことにより回動支軸を中心として回動し、球抜孔を開放する位置又は閉止する位置に移動する球抜部材と、該球抜部材を球抜孔を閉止する位置に付勢する付勢部材とからなり、
前記回動支軸に挿通する球抜部材の軸通孔を回動支軸の直径より大きく形成して該球抜部材を回動支軸と軸通孔との間の隙間の範囲内で移動自在なように設けると共に、回動支軸又は軸通孔のいずれか一方に係合部を、他方には係合突起を球抜部材が球抜孔を開放する位置で係合するように設け、前記付勢部材に抗して球抜部材を移動させることにより係合部と係合突起とを係合させ、該球抜部材を球抜孔を開放する位置に保持するようにしたことを特徴とするパチンコ機における球受皿の球抜き装置。
【発明の詳細な説明】
【０００１】
【発明の属する技術分野】
本発明は、パチンコ機の前面に取着される球受皿の球抜装置に関し、特に球抜孔を開放状態に保持し得るようにしたパチンコ機における球受皿の球抜き装置に関するものである。
【０００２】
【従来の技術】
従来、球受皿の球抜孔を開放状態に保持し得るようにしたパチンコ機における球受皿の球抜装置として、例えば特開平７−８６１６号公報のものが知られている。
【０００３】
この従来の球受皿の球抜装置は、球受皿の球抜孔を開閉するシャッター板と、該シャッター板の停止凹部に係脱する係合ピンを有する作動杆と、前記シャッター板をリンク機構を介して作動させる操作杆とを備え、該操作杆を押動して第２停止凹部に係合ピンを係合させることによりシャッター板を球抜孔を開放する位置に拘束すると共に、操作杆を押動して係合ピンと第２停止凹部との係合を解除することによりシャッター板を球抜孔を閉止する位置に移動させるようになっていた。
【０００４】
【発明が解決しようとする課題】
上記した従来のパチンコ機における球受皿の球抜装置は、シャッター板，作動杆，リンク機構，操作杆を必要とするため、部品点数が増加し、しかも構造が複雑で組立てに手間が掛かりコストアップにつながっていた。
【０００５】
本発明は、上記した問題点に鑑みてなされたもので、その目的とするところは、部品点数が少なく、かつ簡単な構造で球受皿の球抜孔を開放状態に保持し得るようにしたパチンコ機における球受皿の球抜装置を提供することにある。
【０００６】
【課題を解決するための手段】
上記目的を達成するために、本発明のパチンコ機における球受皿の球抜装置は、パチンコ球を貯留する皿部を有する球受皿本体と、該球受皿本体に設けられた操作部材を押すことにより回動支軸を中心として回動し、球抜孔を開放する位置又は閉止する位置に移動する球抜部材と、該球抜部材を球抜孔を閉止する位置に付勢する付勢部材とからなり、前記回動支軸に挿通する球抜部材の軸通孔を回動支軸の直径より大きく形成して該球抜部材を回動支軸と軸通孔との間の隙間の範囲内で移動自在なように設けると共に、回動支軸又は軸通孔のいずれか一方に係合部を、他方には係合突起を球抜部材が球抜孔を開放する位置で係合するように設け、前記付勢部材に抗して球抜部材を移動させることにより、係合部と係合突起とを係合させ、該球抜部材を球抜孔を開放する位置に保持するようにしたものである。
【０００７】
上記のように構成されたパチンコ機における球受皿の球抜装置は、操作部材を指で押すと球抜部材が付勢部材の付勢に抗して回動し、球抜孔を開放する方向に移動する。そして、球抜部材が球抜孔を開放する位置まで移動すると付勢部材の作用力により球抜部材が水平移動して係合部と係合突起とが係合し、該球抜部材を球抜孔を開放する位置に保持する。また、この状態で操作部材を指で押して球抜部材を押すと係合部と係合突起との係合が外れ、付勢部材の付勢により元の位置に回動して球抜孔を閉止する。
【０００８】
なお、本発明のパチンコ機における球受皿の球抜装置は、パチンコ機の前面枠の前面に設けられる打球供給用の上部球受皿又は上部球受皿の余剰球を貯留する下部球受皿のいずれにも適用可能である。
【０００９】
【発明の実施の形態】
以下、図面を参照して本発明の実施の形態について説明する。図１はパチンコ機の正面図、図２は下部球受皿の斜視図、図３は下部球受皿の分解斜視図、図４は下部球受皿の要部分斜視図である。図において、１はパチンコ機の機枠、２は機枠１の前面に開閉自在に装着された前面枠である。前面枠２は、ほぼ中央に窓孔が形成されており、該窓孔の上部にガラス扉３が、その下部に前面板４がそれぞれ開閉自在に設けられている。前記ガラス扉３の後方であり、前面枠２の窓孔の裏面部分には遊技盤５が着脱自在に取付けられている。この遊技盤５の前面には円状の誘導レール６が設けられており、その誘導レール６で囲まれる領域が遊技領域として構成されている。また、前記前面板４の前面には誘導レール６の発射位置にパチンコ球を供給する打球供給用の上部球受皿７が設けられており、前面枠２の前面下部には上部球受皿７からの余剰球を貯留する下部球受皿８が装飾板９を介して設けられている。１０は装飾板９に開設され前記余剰球を下部球受皿８に払い出す排出口であり、１１は遊技領域へ発射されるパチンコ球の弾発力を調節する操作ハンドルである。
【００１０】
次に図２ないし図４を参照して下部球受皿の構成について説明する。下部球受皿８は、パチンコ球を貯留する球受皿本体１２と、該球受皿本体１２の前面を覆うカバー部材１３とから構成される。前記球受皿本体１２は略中央にパチンコ球を貯留する皿部１２ａが凹窪状に形成されると共に、該皿部１２ａの上端外周縁に庇状の上面壁１２ｂが延設され、後面は前記装飾板９の排出口１０が臨むように開放しており、底壁には球抜孔１４が開設される。また、皿部１２ａの下面に球抜孔１４を塞ぐように皿状の支持枠１５がビス１６により固着されており、該支持枠１５には球抜孔１４と相対する位置にほほ同じ大きさの透孔１７が設けられている。そして、支持枠１５と球受皿本体１２の間に挟まれるように操作部材１８と球抜部材１９と付勢部材としてのスプリング２０が配設されている。
【００１１】
操作部材１８は、長さのほぼ中間が支軸２１により水平方向へ回動自在に軸支されており、その前面部分は山形状に形成されて回動により支持枠１５の切欠２２から前方へ交互に突出する押圧部１８１，１８２が形成されている。また、支軸２１より後方に係合溝部２３が形成されている。
【００１２】
前記球抜部材１９は、前端に軸通孔２４と係合片２５が形成され、後端には前記球抜孔１４を開閉する幅広の板状部２６が一体に形成されている。この球抜部材１９は、係合片２５を操作部材１８の係合溝部２３に係合させると共に、軸通孔２４を支持枠１５に突設した回動支軸２７に挿通して該回動支軸２７を中心に水平回動自在なように支持されている。また、球抜部材１９にはスプリング２０の一端が連結されている。このスプリング２０は図５における右方向、すなわち常に球抜部材１９の板状部２６が球抜孔１４を閉止する方向に付勢するようになっている。このとき操作部材１８の一方の押圧部１８１が支持枠１５の切欠２２から外方へ突出している。
【００１３】
しかして、前記回動支軸２７の後面には凹状の係合部２８が形成されている。一方、球抜部材１９の軸通孔２４に前記係合部２８に係合する係合突起２９を設けると共に、軸通孔２４は、回動支軸２７の直径より大きい楕円孔として形成されており、球抜部材１９が少なくとも球抜位置にいるとき回動支軸２７と軸通孔２４との間の隙間の範囲内で軸方向に移動できるようになっている。
【００１４】
また係合突起２９は、図５に示すように球抜部材１９の板状部２６が球抜孔１４を閉止している状態において、回動支軸２７の後方に位置し、かつ該球抜部材１９の回動時に係合突起２９をスプリング２０の付勢により回動支軸２７に接触させて球抜部材１９の軸方向への移動を規制するようになっている。また図６に示すように球抜部材１９の板状部２６が球抜孔１４を開放している状態において、回動支軸２７の係合部２８に係合し得るようになっている。
【００１５】
次に、上記した球受皿の球抜装置の作用について図５及び図６を参照して説明すると、まず、図５実線で示すように球抜部材１９の板状部２６が球抜孔１４を閉止している状態において、操作部材１８の一方の押圧部１８１を指で押すと、該操作部材１８が図５鎖線のように支軸２１を支点として反時計廻り方向に回動し、これの係合溝部２３で球抜部材１９の係合片２５を前方へ引き寄せる。これによって、球抜部材１９がスプリング２０の付勢に抗して回動支軸２７を中心に反時計方向に回動し、板状部２６が球抜孔１４を開放する方向に移動する。このとき、球抜部材１９はスプリング２０の付勢により前方に移動しようとするが係合突起２９が回動支軸２７と接触してその前方への移動が規制される。
【００１６】
一方、図６鎖線で示すように球抜部材１９の板状部２６が球抜孔１４を開放する位置まで移動するとスプリング２０の付勢により図６実線に示すように前方に移動して係合突起２９が回動支軸２７の係合部２８に係合し、該球抜部材１９をその回動位置に保持する。このため、押圧部１８１から指を離しても球抜部材１９は球抜孔１４を開放した状態に保持されることになり、皿部１２ａのパチンコ球は球抜孔１４から流出する。
【００１７】
次に、球抜孔１４を閉止するには、操作部材１８の他方の操作部１８２を指で押すと、操作部材１８が図６鎖線のように支軸２１を支点として時計廻り方向に回動し、これの係合溝部２３で球抜部材１９の係合片２５を押動する。これによって、球抜部材１９が回動支軸２７と軸通孔２４との間の隙間によって後方に押されて係合突起２９が回動支軸２７の係合部２８から外れる。このため、球抜部材１９はスプリング２０の付勢により回動支軸２７を中心に時計廻り方向に回動し、球抜部材１９が図５実線に示す元の位置に戻されて板状部２６により球抜孔１４が閉止される。
【００１８】
なお、上記した実施の形態では、球抜部材１９の軸通孔２４を楕円孔として示したが、回動支軸２７より大径の円孔であってもよい。また、回動支軸２７に係合部２８を設け、球抜部材１９の軸通孔２４に係合突起２９を設けた実施の形態を示したが、図７に示すように球抜部材１９の軸通孔２４に係合部２８を設け、回動支軸２７に係合突起２９を設けるようにしても図７鎖線で示すように球抜孔１４を開放状態に保持できる。
【００１９】
図８および図９に示す第２実施の形態は、操作部材１８Ａの後面に突起部３０と突段部３１とを設け、操作部材１８Ａの突起部３０で球抜部材１９Ａの係合片２５を図８鎖線で示すように押して該球抜部材１９Ａを回動させることにより該球抜部材１９Ａを図９実線で示す球抜孔１４を開放する位置に移動させるようにしたものである。そして図９鎖線で示すように操作部材１８Ａの突段部３１を球抜部材１９Ａの前端３２に接触させることにより該球抜部材１９Ａを押して係合部２８と係合突起２９との係合を外すようになっている。
【００２０】
また、図１０に示す第３実施の形態は、操作部材１８ＢにＬ字形に屈曲する腕部３３を設けると共に、球抜部材１９Ｂに側片３４を設け、図１０鎖線で示すように腕部３３で球抜部材１９Ｂの側片３４を押して該球抜部材１９Ｂを回動させることにより板状部２６を球抜孔１４を開放する位置に移動させるようにしたものである。その他の構成は第２実施の形態と同じである。
【００２１】
【発明の効果】
以上、説明したところから明らかなように、本発明においては、操作部材を指で押すだけの簡単な操作で球抜部材を球抜孔を開放する位置に保持し、又はその保持を解除して球抜孔を閉止することができるので、球受皿に貯留されるパチンコ球の球抜操作を極めて容易に行うことができる。
【００２２】
また、構造が簡単で従来の球抜装置に較べて部品点数が少なくて済み、コストダウンを図ることができる。
【図面の簡単な説明】
【図１】本発明が適用されるパチンコ機の正面図である。
【図２】本発明に係る球抜き装置が組込まれた下部球受皿の斜視図である。
【図３】図２の下部球受皿の分解斜視図である。
【図４】図２の下部球受皿の要部分解斜視図である。
【図５】球抜き孔を閉止した状態の要部平面図である。
【図６】球抜き孔を開放した状態の要部平面図である。
【図７】他の実施の形態の要部平面図である。
【図８】他の実施の形態の球抜孔を閉止した状態の要部平面図である。
【図９】図８の球抜孔を開放した状態の要部平面図である。
【図１０】他の実施の形態の作用を説明する要部平面図である。
【符号の説明】
１２                    球受皿本体
１２ａ                  皿部
１４                    球抜孔
１８，１８Ａ，１８Ｂ    操作部材
１９，１９Ａ，１９Ｂ    球抜部材
２０                    スプリング（付勢部材）
２４                    軸通孔
２７                    回動支軸
２８                    係合部
２９                    係合突起
【図１】
0003895442.tif 000002
【図２】
0003895442.tif 000003
【図３】
0003895442.tif 000004
【図４】
0003895442.tif 000005
【図５】
0003895442.tif 000006
【図６】
0003895442.tif 000007
【図７】
0003895442.tif 000008
【図８】
0003895442.tif 000009
【図９】
0003895442.tif 000010
【図１０】
0003895442.tif 000011